(57)【要約】【課題】扉を開いた状態においてもロッド棒が騒音を発することがなく、しかも引っ掛かりなしにロッド棒の先端をキャビネット本体の上部・下部の枠に係合させることができる扉施錠装置を提供する。【解決手段】扉内側面の上部・下部に固着したロッド棒支持金具２に支持させたロッド棒３を、ハンドルの操作により上下動させて施錠する形式の扉施錠装置に関するものである。本発明では、ロッド棒３の先端部のうち、施錠状態においてロッド棒支持金具２と係合する部分を垂直部７とし、非施錠状態においてロッド棒支持金具２と係合する部分を扉方向への傾斜部８として非施錠状態における騒音を防止した。ロッド棒支持金具２の開口孔部４の、施錠状態においてロッド棒３と接触しない扉側部分に、樹脂部材１０を設けることにより、更に騒音防止効果を高めることができる。【選択図】  図７
2006316479.tif 000002
【特許請求の範囲】
【請求項１】
扉内側面の上部・下部に固着したロッド棒支持金具の開口孔部に支持させたロッド棒を、扉面に取り付けたハンドルの操作により上下動させて施錠する扉施錠装置において、ロッド棒先端部のうち、施錠状態においてロッド棒支持金具と係合する部分を垂直部とし、非施錠状態においてロッド棒支持金具と係合する部分を扉方向への傾斜部としたことを特徴とする扉施錠装置。
【請求項２】
ロッド棒支持金具の開口孔部の、施錠状態においてロッド棒と接触しない扉側部分に、樹脂部材を設けたことを特徴とする請求項１記載の扉施錠装置。
【発明の詳細な説明】
【技術分野】
【０００１】
本発明は、キャビネットの扉をハンドル操作により上下方向にスライドするロッド棒を用いてロックする扉施錠装置に関するものである。
【背景技術】
【０００２】
従来の扉施錠装置は、扉内側面の上部・下部に固着したロッド棒支持金具に支持させたロッド棒を、扉面に取り付けたハンドルの操作により上下動させ、ロッド棒の先端をキャビネット本体の上部・下部の枠に係合させて扉を閉じた状態に保持させる構造のものが一般的であった。このような鎖錠装置のロッド棒支持金具は、ロッド棒の外径に対して余裕を持たせた開口孔部を設けた金属板により構成されており、扉とキャビネット本体との間に設けられたパッキンを圧縮しつつロッド棒をスライドできるようになっている。
【０００３】
しかし、鎖錠動作の初期においてはパッキンの厚み分だけロッド棒の先端がキャビネット本体の上部・下部の枠に対して手前側にあるため、鎖錠時にロッド棒の先端がキャビネット本体の上部・下部の枠に当たってしまい、スムーズに係合しにくいという問題があった。
【０００４】
このため、特許文献１のようにロッド棒の先端を傾斜させ、鎖錠動作において、ハンドルを操作するとロッド棒の先端がキャビネット本体の枠よりキャビネット内側から扉方向に近づく動作をするものであれば、スムーズな係合ができる。なお、扉を開いた状態では、ロッド棒の垂直部がロッド棒支持金具の開口孔部に位置しており、鎖錠動作中はロッド棒の傾斜部が開口孔部に位置し、扉を閉じた状態ではロッド棒の傾斜部よりハンドルに近い側の垂直部が開口孔部に位置している。このような扉鎖錠装置のロッド棒支持金具の開口孔部は、鎖錠棒の傾斜部分が通過することが可能な大きさが必要であり、その大きさは鎖錠棒の直径に対してかなり大きいものである。
【０００５】
このため、キャビネットの扉を閉じた状態では、ロッド棒の先端がキャビネット本体の上部・下部の枠及び扉と係合しているため、ロッド棒が水平方向に動くことはない。しかし扉を開いた状態では、ロッド棒の先端はロッド棒支持金具のロッド棒の外径に対して余裕を持たせた開口孔部によって支持されているのみであるから、水平方向に動き得る。このため、開口孔部の内面とロッド棒とが当たってガタガタと騒音を発するという問題があった。
【０００６】
そこで、ロッド棒支持金具の開口孔部の全周に樹脂部材を取り付け、騒音をなくする方法もあるが、鎖錠時には、パッキン圧縮の反力によりロッド棒が扉から離れる方向に押し付けられるので、樹脂部材のうち扉の反対側部分が割れるおそれがあった。
【特許文献１】特開２００２−１５９１０７号公報
【発明の開示】
【発明が解決しようとする課題】
【０００７】
本発明は上記した従来の問題点を解決し、扉を開いた状態においてもロッド棒が騒音を発することがなく、しかもパッキンの厚みによる引っ掛かりなしにロッド棒の先端をキャビネット本体の上部・下部の枠に係合させることができる扉施錠装置を提供するためになされたものである。
【課題を解決するための手段】
【０００８】
上記の課題を解決するためになされた本発明の扉施錠装置は、扉内側面の上部・下部に固着したロッド棒支持金具の開口孔部に支持させたロッド棒を、扉面に取り付けたハンドルの操作により上下動させて施錠する扉施錠装置において、ロッド棒先端部のうち、施錠状態においてロッド棒支持金具と係合する部分を垂直部とし、非施錠状態においてロッド棒支持金具と係合する部分を扉方向への傾斜部としたことを特徴とするものである。なお、ロッド棒支持金具の開口孔部の、施錠状態においてロッド棒と接触しない扉側部分に、樹脂部材を設けることにより、更に騒音防止効果を高めることができる。
【発明の効果】
【０００９】
請求項１に記載した発明は、ロッド棒先端部のうち、施錠状態においてロッド棒支持金具と係合する部分を垂直部とし、非施錠状態においてロッド棒支持金具と係合する部分を扉方向への傾斜部としたものであるので、扉を開いた非施錠状態においてもロッド棒がロッド棒支持金具と当たって騒音を発することがなく、ロッド棒の先端は扉の方向に近づきながらスライドするため、パッキンの厚みによる引っ掛かりなしに動き、扉をキャビネットに締め付ける効果を得ることができるものである。
【００１０】
また、請求項２に記載した発明は、ロッド棒支持金具の開口孔部の、施錠状態においてロッド棒と接触しない扉側部分に、樹脂部材を設けたものであるので、更に騒音を防止することができるものである。
【発明を実施するための最良の形態】
【００１１】
以下に本発明の好ましい実施形態を説明する。
図１において１はキャビネットの扉であり、扉内側面の上部・下部にはそれぞれロッド棒支持金具２が固着されている。３はロッド棒であり、その先端部は図２、図３に示すようにロッド棒支持金具２の開口孔部４を貫通して支持されている。またその基部は扉面に取り付けたハンドルの操作により回転されるリンク５の端部に枢着されている。このためハンドル操作によりリンク５を回転させるとロッド棒３は上下方向にスライドし、その先端は図２に示すようにキャビネット本体の枠６の内面に係合し、扉１を開かないように施錠することができる。なおロッド棒３の先端にはローラ９を設けておくことが好ましい。以上の構成は従来と同様である。
【００１２】
しかし本発明では、ロッド棒３の先端部を屈曲させ、図２のように施錠状態においてロッド棒支持金具２と係合する部分を垂直部７とし、図３のように非施錠状態においてロッド棒支持金具２と係合する部分を扉方向への傾斜部８としてある。このため、図３の非施錠状態においてはロッド棒３とロッド棒支持金具２の開口孔部４との間のクリアランスが小さくなり、ガタツキを抑制して騒音を減らすことができる。
【００１３】
また、図３の状態からハンドルを操作してロッド棒３を進出させるときには、傾斜部８がロッド棒支持金具２にガイドされるので、ロッド棒３の先端は扉１の方向に近づきながらスライドする。このため垂直にスライドしていた従来のロッド棒ではパッキンの厚みによる引っ掛かりが生じた場合にも、本発明ではロッド棒３は引っ掛かりなしに動き、扉１をキャビネットに締め付ける効果を得ることができる。
【００１４】
図４以下は請求項２の発明の実施形態を示す図である。この実施形態では、ロッド棒支持金具２の開口孔部４に樹脂部材１０が取り付けられている。樹脂部材１０は例えばポリエチレンからなり、普通硬度〜軟質硬度のものが好ましい。この実施形態では、図６、図７に示すように中央に水平スリットが入った断面コ字状の樹脂部材１０が、ロッド棒支持金具２を挟み込むように取り付けてある。
【００１５】
樹脂部材１０は施錠状態においてロッド棒３と接触しない扉側の部分に配置する。図５の平面図に示すように、この実施形態では直角状のスリットを持つ４角形の樹脂部材１０をロッド棒支持金具２の角部１１に嵌めこみ、開口孔部４の扉側を斜めに封鎖している。しかし樹脂部材１０の形状及び取付方法は実施形態に限定されるものではなく、各種の変形が可能であることはいうまでもない。
【００１６】
このような樹脂部材１０は図６に示す施錠状態においてはロッド棒３と接触せず、ロッド棒３はロッド棒支持金具２と直接接触し、メタルタッチによる強固な施錠が可能であるとともに、ロッド棒３から受ける力によって樹脂部材１０が割れることもない。しかも図７に示す非施錠状態においては樹脂部材１０がロッド棒３と接触するため、騒音発生をより確実に防止することができる。
【００１７】
なお、施錠状態において、ロッド棒３のロッド棒支持金具２と係合する部分を傾斜部とすると、ロッド棒３とロッド棒支持金具２が押し合った場合、ロッド棒３にハンドルを戻す向きに力が加わり、開錠してしまう恐れがある。したがって、施錠状態において、ロッド棒３のロッド棒支持金具２と係合する部分は垂直部とし、ロッド棒３とロッド棒支持金具２が押し合っても、ロッド棒３にハンドルを戻す向きに力が加わることがないものとしている。
【００１８】
以上に説明したように本発明によれば、扉を開いた非施錠状態においてもロッド棒３がロッド棒支持金具２と当って騒音を発することがない。しかもロッド棒３の先端は扉１の方向に近づきながらスライドするため、パッキンの厚みによる引っ掛かりなしに動き、扉１をキャビネットに締め付ける効果を得ることができる。また樹脂部材１０を用いれば、更に騒音を防止することができる。
【図面の簡単な説明】
【００１９】
【図１】扉を内側から見た斜視図である。
【図２】第１の実施形態の施錠状態を示す要部断面図である。
【図３】第１の実施形態の非施錠状態を示す要部断面図である。
【図４】第２の実施形態の要部斜視図である。
【図５】第２の実施形態の要部平面図である。
【図６】第２の実施形態の施錠状態を示す要部断面図である。
【図７】第２の実施形態の非施錠状態を示す要部断面図である。
【符号の説明】
【００２０】
１  扉
２  ロッド棒支持金具
３  ロッド棒
４  開口孔部
５  リンク
６  キャビネット本体の枠
７  垂直部
８  傾斜部
９  ローラ
１０  樹脂部材
１１  ロッド棒支持金具２の角部
【図１】
2006316479.tif 000003
【図２】
2006316479.tif 000004
【図３】
2006316479.tif 000005
【図４】
2006316479.tif 000006
【図５】
2006316479.tif 000007
【図６】
2006316479.tif 000008
【図７】
2006316479.tif 000009